(57)【要約】  【課題】  ＲＦＩＤタグ付き用紙に画像や文字等をプリントすると同時に、プリントされた画像や文字の情報或いは関連情報をＲＦＩＤタグに記憶させることができるプリンタ装置等を提案する。  【解決手段】  ＲＦＩＤタグ１０を有する印刷用紙Ｐに任意の文字又は画像を描画するプリンタ装置が、印刷用紙Ｐに文字又は画像を描画する描画部と、ＲＦＩＤタグ１０に文字又は画像に関連した情報を書き込む通信部と、を備える。そして、ＲＦＩＤタグ１０付き印刷用紙Ｐに描画された画像又は文字に関連する情報を外部通信部５２により読み取って、外部通信部５２に連結された外部装置５０によりその情報を表示或いは出力する。  【選択図】  図４
2006209497.tif 000002
【特許請求の範囲】
【請求項１】
印刷用紙に貼付するためのＲＦＩＤタグであって、
前記印刷用紙に貼付される面の反対面に、前記印刷用紙と略同一の紙材料からなる上面を有することを特徴とするＲＦＩＤタグ。
【請求項２】
印刷用紙に貼付するためのＲＦＩＤタグであって、
前記印刷用紙の幅員と略同一の全長を有することを特徴とするＲＦＩＤタグ。
【請求項３】
印刷用紙に貼付するためのＲＦＩＤタグであって、
前記印刷用紙に貼付される面の反対面に、前記印刷用紙と略同一の紙材料からなる上面を有すると共に、前記印刷用紙の幅員と略同一の全長を有することを特徴とするＲＦＩＤタグ。
【請求項４】
請求項１から請求項３のうちいずれか一項に記載のＲＦＩＤタグを備えたことを特徴とする印刷用紙。
【請求項５】
ＲＦＩＤタグを有する印刷用紙に任意の文字又は画像を描画するプリンタ装置であって、
前記印刷用紙に前記文字又は画像を描画する描画部と、
前記ＲＦＩＤタグに前記文字又は画像に関連した情報を書き込む通信部と、
を備えることを特徴とするプリンタ装置。
【請求項６】
前記印刷用紙として、請求項４に記載の印刷用紙を用いることを特徴とするプリンタ装置。
【請求項７】
ＲＦＩＤタグ付き印刷用紙に描画された画像又は文字に関連する情報をＲＦＩＤタグに記憶し、該記憶情報を外部通信部により読み取って、前記外部通信部に連結された外部装置により前記記憶情報を表示或いは出力することを特徴とするＲＦＩＤシステム。
【請求項８】
前記記憶情報は、文字情報、音声情報、静止画情報、或いは動画情報であることを特徴とする請求項７に記載のＲＦＩＤシステム。
【請求項９】
前記外部装置は、携帯情報端末であることを特徴とする請求項７又は請求項８に記載のＲＦＩＤシステム。
【発明の詳細な説明】
【技術分野】
【０００１】
本発明は、ＲＦＩＤタグ、印刷用紙、プリンタ装置、ＲＦＩＤシステムに関する。
【背景技術】
【０００２】
プラスチック等の基材の上にコイル状アンテナパターンを備え、このアンテナパターンと容量素子とにより共振回路を形成して一定周波数の電波を受信・送信できるように構成されたＲＦＩＤ（Radio Frequency Identification）データキャリアが利用されている。ＲＦＩＤデータキャリア（ＲＦＩＤタグ）は、メモリを搭載し、その容量によって、固有のＩＤ番号のみを記憶するものや、固有ＩＤ番号以外の情報も記憶可能なものもある。
そして、記憶されている情報が目視不可能なＲＦＩＤタグの取り扱いを容易化させる目的から、ＲＦＩＤタグ内に記憶されている情報等を印字可能なＲＦＩＤ付きラベル用紙が提案されている（特許文献１）。更には、ＲＦＩＤタグ内に記憶されている情報を表示する液晶表示装置やマイクロカプセル型電気泳動表示装置を設ける技術（特許文献２）が提案されている。
【特許文献１】特開２００４−２０２８９４号公報
【特許文献２】特開２００３−２７１９１１号公報
【発明の開示】
【発明が解決しようとする課題】
【０００３】
ところで、上述した技術では、単にＲＦＩＤタグ内に記憶されている情報を文字情報として印字或いは表示するに過ぎない。また、ＲＦＩＤタグ付きラベル用紙に印字するためには、専用の印字装置が必要である。
【０００４】
本発明は、上述した事情に鑑みてなされたもので、ＲＦＩＤタグ付き用紙に画像や文字等をプリントすると同時に、プリントされた画像や文字の情報或いは関連情報をＲＦＩＤタグに記憶させることができるプリンタ装置等を提案することを目的とする。
【課題を解決するための手段】
【０００５】
本発明に係るＲＦＩＤタグ、印刷用紙、プリンタ装置、ＲＦＩＤシステムでは、上記課題を解決するために以下の手段を採用した。
第１の発明は、印刷用紙に貼付するためのＲＦＩＤタグであって、前記印刷用紙に貼付される面の反対面に、前記印刷用紙と略同一の紙材料からなる上面を有するようにした。
この発明によれば、ＲＦＩＤタグ上に印刷（描画）が可能となるので、ＲＦＩＤタグを印刷用紙に貼り付けた場合であっても印刷領域を狭めることがない。
【０００６】
また、印刷用紙に貼付するためのＲＦＩＤタグであって、前記印刷用紙の幅員と略同一の全長を有するものでは、印刷用紙に合わせた最大限のアンテナを得ることができる。通信領域を広げることができる。
また、印刷用紙に貼付するためのＲＦＩＤタグであって、前記印刷用紙に貼付される面の反対面に、前記印刷用紙と略同一の紙材料からなる上面を有すると共に、前記印刷用紙の幅員と略同一の全長を有するものでは、ＲＦＩＤタグを印刷用紙に貼り付けた場合であっても印刷領域を狭めることがなく、更に、通信領域を広げることができる。
【０００７】
第２の発明は、印刷用紙が第１の発明のＲＦＩＤタグを備えたことを特徴とする。この発明によれば、任意の文字又は画像を描画と、その文字や画像に関連した情報の記憶（書き込み）を良好に行うことができる。
【０００８】
第３の発明は、ＲＦＩＤタグを有する印刷用紙に任意の文字又は画像を描画するプリンタ装置であって、前記印刷用紙に前記文字又は画像を描画する描画部と、前記ＲＦＩＤタグに前記文字又は画像に関連した情報を書き込む通信部と、を備えるようにした。
この発明によれば、印刷用紙への任意の文字又は画像を描画と、ＲＦＩＤタグへの書き込みを略同時に行うことが可能となる。これにより、描画内容とＲＦＩＤタグの記憶情報とが食い違うことを容易かつ確実に防止することができる。
また、前記印刷用紙として、第２の発明の印刷用紙を用いるものでは、ＲＦＩＤタグを後から貼付した場合であっても、良好に任意の文字又は画像を描画と、ＲＦＩＤタグへの書き込みを行うことができる。
【０００９】
第４の発明は、ＲＦＩＤシステムにおいて、ＲＦＩＤタグ付き印刷用紙に描画された画像又は文字に関連する情報をＲＦＩＤタグに記憶し、該記憶情報を外部通信部により読み取って、前記外部通信部に連結された外部装置により前記記憶情報を表示或いは出力するようにした。
この発明によれば、印刷用紙に印刷（描画）された文字又は画像に関連した情報が表示又は出力されるので、印刷では表現できない情報も付加することができる。例えば、企業広告に利用するなど、利用分野を拡大することができる。
また、前記記憶情報が、文字情報、音声情報、静止画情報、或いは動画情報であるものでは、例えば、音節付き写真を実現できる。また、印刷した画像をインデックスとして利用することも可能となる。
また、前記外部装置が、携帯情報端末であるものでは、携帯電話や携帯ゲーム端末を利用することにより、多くの者が利用できると共に、画像と音声等を表現できる。
【発明を実施するための最良の形態】
【００１０】
以下、本発明のＲＦＩＤタグ、印刷用紙、プリンタ装置、ＲＦＩＤシステムの実施形態について図を参照して説明する。
【００１１】
［ＲＦＩＤタグ、印刷用紙］
図１は、ＲＦＩＤタグ１０を示す分解斜視図である。
ＲＦＩＤタグ１０は、ＩＣチップ（集積回路）１１及びアンテナ１２とを備えたインレット１３とを、保護フィルム１５，１６で重ね合わせることにより形成されている。
インレット１３は、配線電極をカバーフィルムで挟んで形成されるフレキシブルプリント基板（ＦＰＣ）であって、上述したＩＣチップ１１、アンテナ１２及び各種配線が、その上面に形成される。
ＩＣチップ１１は、各種演算を行うＣＰＵ、ＲＯＭ、ＲＡＭ、メモリ、送受信部等を備える。そして、ＣＰＵからの指令に基づいて、送受信部を介して外部から情報を受信してメモリに記憶したり、メモリ内の情報を外部に送信したりする。
アンテナ１２は、長方形に形成されたインレット１３上の外周部に、コイル状に形成される。アンテナ１２の形成およびアンテナ１２とＩＣチップ１１との接続には、インクジェット法により液体金属を飛ばして作成してもよい。
保護フィルム１５，１６は、ＩＣチップ１１とアンテナ１２を紫外線や外力から保護するために設けられるが、省略することも可能である。
更に、保護フィルム１５上には、紙シート１７が貼り付けられる。紙シート１７は、後述する印刷用紙と略同一の材質の紙が用いられる。一方、保護フィルム１６上には、粘着シート１８が貼り付けられる。粘着シート１８は、印刷用紙にＲＦＩＤタグ１０を貼り付けるために用いられる。つまり、ＲＦＩＤタグ１０は、粘着シート１８により印刷用紙に貼り付けられると、印刷用紙と略同一の材質の紙シート１７が表面に露出するようになっている。これにより、ＲＦＩＤタグ１０を印刷用紙に貼り付けても、ＲＦＩＤタグ１０が目立たないようになっている。また、ＲＦＩＤタグ１０上にも印刷することも可能となる。
【００１２】
ＲＦＩＤタグ１０は、帯状の長方形に形成される。その長さは、ＲＦＩＤタグ１０が貼り付けられる印刷用紙の幅寸法と略同一又は若干短めの長さに形成される。例えば、Ａ４版プリンタ用紙（２１０ｍｍ×２９７ｍｍ）に貼り付けられるＲＦＩＤタグ１０は、２１０ｍｍの長さに形成され、印刷用紙の縁部に貼り付けられる（図２参照）。
なお、ＲＦＩＤタグ１０の貼付位置は、縁部に限られるものではない。また、ＲＦＩＤタグ１０の幅は、例えば５ｍｍから１０ｍｍ程度である。
また、ＲＦＩＤタグ１０が貼り付けられる用紙のサイズは、Ａ４版に限らず、Ａ５、Ｂ５版等、はがきサイズ、封筒サイズ、写真サイズ（Ｌ、２Ｌ等）、名刺サイズ、ＣＤジャケットサイズ等、定型サイズの用紙に貼り付けることができるように、複数の長さに形成される。
更に、印刷用紙としては、新聞、雑誌、ポスター等であってもよい。用紙の寸法が規格等により定まっているのもであれば、その用紙に最適なＲＦＩＤタグ１０を形成、貼付することができる。
【００１３】
このように、ＲＦＩＤタグ１０の長さは、複数存在するが、その長さに応じてアンテナ１２の巻数、形状は最適化される。アンテナ１２の大きさ等により、通信距離が変化して、必要な通信品質が確保できなくなってしまうからである。
このように、ＲＦＩＤタグ１０を帯状の長方形に形成し、しかも、貼り付ける印刷用紙の幅寸法に略一致させるのは、印刷用紙にＲＦＩＤタグ１０を貼り付けた際に、その通信距離をできるだけ伸ばす一方で、ＲＦＩＤタグ１０をできるだけ小さくして目立たなくするためである。したがって、用紙の長辺方向の長さに合わせた長さのＲＦＩＤタグ１０を貼り付けてもよいが、後述するインクジェットプリンタ６０の紙送りに支障が発生しやすくなる。
なお、ＲＦＩＤタグ１０は、必ずしも印刷用紙Ｐの印刷面側に貼り付けられる必要はなく、裏面に貼り付けてもよい。また、印刷用紙Ｐに貼付する形態に限らず、予め印刷用紙Ｐの内部に挿入（織込）してもよい。このような場合には、必ずしも紙シート１７や粘着シート１８を必要としない。
また、１枚の用紙に複数のＲＦＩＤタグ１０を貼り付けてもよい。
【００１４】
［プリンタ装置］
次に、上述したＲＦＩＤタグ１０を貼り付けた印刷用紙Ｐに任意の文字や画像等を印刷（描画）するプリンタ装置について説明する。
図２は、本発明のプリンタ装置の６０を示す概略構成図である。なお、以下の説明では、Ｚ方向上側を「上部」、Ｚ方向下側を「下部」と言う。
【００１５】
インクジェットプリンタ６０は、装置本体６２の上部後方に印刷用紙Ｐを設置するトレイ６２１、下部前方に印刷用紙Ｐを排出する排出口６２２、上部面に操作パネル６７を有している。
操作パネル６７は、例えば液晶ディスプレイ、有機ＥＬディスプレイ、ＬＥＤランプディスプレイ等の表示デバイスにて構成されたものであって、エラーメッセージ等を表示する表示部（図示せず）と、各種スイッチ等で構成される操作部（図示せず）とを備える。
装置本体６２の内部には、主に往復動するヘッドユニット６３を備える印刷装置６４、印刷用紙Ｐを１枚ずつ印刷装置６４に送り込む給紙装置６５、印刷装置６４および給紙装置６５を制御する制御部６６等が設けられている。
そして、制御部６６からの指令により、給紙装置６５は、印刷用紙Ｐを一枚ずつ間欠送りするようになっており、間欠送りされた印刷用紙Ｐは、ヘッドユニット６３の下部近傍を通過する。このとき、ヘッドユニット６３が印刷用紙Ｐの送り方向とほぼ直交する方向に往復移動し、印刷用紙Ｐへの印刷を行うようになっている。すなわち、ヘッドユニット６３の往復動と、印刷用紙Ｐの間欠送りとが、印刷における主走査および副走査となり、インクジェット方式の印刷が行なわれるようになっている。
【００１６】
印刷装置６４は、ヘッドユニット６３と、ヘッドユニット６３の駆動源となるキャリッジモータ６４１と、キャリッジモータ６４１の回転を受けて、ヘッドユニット６３を往復運動させる往復動機構６４２とを備えたものである。
ヘッドユニット６３は、その下部に、多数のノズルを備えるインクジェットヘッド１と、このインクジェットヘッド１にインクを供給するインクカートリッジ６３１と、インクジェットヘッド１およびインクカートリッジ６３１を搭載したキャリッジ６３２とを有したものである。
なお、インクカートリッジ６３１として、イエロー、シアン、マゼンタ、ブラック（黒）の４色のインクを充填したものを用いることにより、フルカラー印刷が可能となる。この場合、ヘッドユニット６３には、各色にそれぞれ対応したインクジェットヘッド１が設けられることになる。ただし、インクはこれらのインクの色に限定するわけではない。
【００１７】
往復動機構６４２は、その両端がフレーム（図示せず）に支持されたキャリッジガイド軸６４４と、キャリッジガイド軸６４４と平行に延びて走行動作するタイミングベルト６４３とを有している。そして、キャリッジ６３２は、キャリッジガイド軸６４４に往復動自在に支持されるとともに、タイミングベルト６４３の一部に固定されたものである。キャリッジモータ６４１の作動により、プーリを介してタイミングベルト６４３を正逆走行させると、キャリッジガイド軸６４４に案内されて、ヘッドユニット６３が往復動する。
そして、この往復動の際に、インクジェットヘッド１から適宜インクが吐出され、印刷用紙Ｐへの印刷（描画）が行われるようになっている。
【００１８】
給紙装置６５は、その駆動源となる給紙モータ６５１と、給紙モータ６５１の作動により軸周りに回転する給紙ローラ６５２とを有したものである。給紙ローラ６５２は、印刷用紙Ｐの送り経路を挟んで上下に対向する従動ローラ６５２ａと、駆動ローラ６５２ｂとで構成されたものであり、駆動ローラ６５２ｂは、給紙モータ６５１に連結されたものである。このような構成によって給紙ローラ６５２は、トレイ６２１に設置した多数枚の印刷用紙Ｐを、印刷装置６４に向かって１枚ずつ送り込めるようになっている。
なお、トレイ６２１に代えて、印刷用紙Ｐを収容する給紙カセットを着脱自在に装着し得るような構成としてもよい。
【００１９】
制御部６６は、例えばパーソナルコンピュータやデジタルカメラ等のホストコンピュータから入力された印刷データに基づいて、印刷装置６４や給紙装置６５等を駆動することにより印刷動作の制御を行うものである。この制御部６６には、いずれも図示しないものの、主に各部を制御する制御プログラム等を記憶するメモリ、インクジェットヘッド１を駆動してインクの吐出タイミングを制御するヘッド駆動回路、印刷装置６４（キャリッジモータ６４１）を駆動する制御回路、給紙装置６５（給紙モータ６５１）を駆動する駆動回路、およびホストコンピュータからの印刷データを入手する通信回路と、これらに電気的に接続され、各部での各種制御を行うＣＰＵとが備えられている。
【００２０】
また、ＣＰＵには、例えば、インクカートリッジ６３１のインク残量、ヘッドユニット６３の位置、温度、湿度等の印刷環境等を検出可能な各種センサが、それぞれ電気的に接続されている。制御部６６は、通信回路を介して印刷データを入手してメモリに格納する。ＣＰＵは、この印刷データを処理し、この処理データおよび各種センサからの入力データに基づき、各駆動回路に駆動信号を出力する。この駆動信号によりインクジェットヘッド１、印刷装置６４および給紙装置６５は、それぞれ作動する。これにより、印刷用紙Ｐに所望の印刷（描画）がなされる。
【００２１】
図３は、本発明のインクジェットプリンタ６０の断面図である。
更に、インクジェットプリンタ６０は、通信部６９を備える。通信部６９は、制御部６６の指令により、所定の情報をＲＦＩＤタグ１０に送信するための装置であって、図４に示すように、ヘッドユニット６３の直前に設けられる。
インクジェットプリンタ６０に通信部６９を設けることにより、印刷用紙Ｐに任意の文字や画像を印刷（描画）すると同時に、印刷用紙Ｐに貼り付けられたＲＦＩＤタグ１０と通信して、所定の情報をＲＦＩＤタグ１０に送信することができる。なお、通信部６９の配置位置は、印刷用紙Ｐに貼り付けられたＲＦＩＤタグ１０と通信できる範囲であれば、任意の位置に配置することができる。
また、ＲＦＩＤタグ１０から通信部６９に送信される情報としては、ＲＦＩＤタグ１０のＩＤ番号等である。一方、通信部６９からＲＦＩＤタグ１０に送信される情報としては、印刷用紙Ｐに印刷（描画）した文字や画像に関連した情報、例えば、画像情報のＩＤ番号、撮影（製造）日時等の情報等の文字情報がある。更に、画像情報に関連した音声情報や画像情報に関連した他の画像情報（静止画、動画を問わない）がある。なお、印刷用紙Ｐに印刷（描画）した文字や画像と同一の文字、画像情報を送信してもよい。そして、ＲＦＩＤタグ１０に送信された情報は、ＲＦＩＤタグ１０のＲＡＭ読み書き可能な不揮発メモリに記憶される。不揮発メモリとしては、フラッシュメモリやＦｅＲＡＭなどを搭載することが出来る。
【００２２】
上述したインクジェットプリンタ６０によれば、印刷用紙Ｐに任意の文字や画像の印刷（描画）を行うと同時に、印刷用紙Ｐに貼り付けたＲＦＩＤタグ１０に所定の情報を記憶させる（不揮発メモリに書き込む）ことができる。
したがって、デジタルカメラやデジタルビデオカメラで撮影した画像が印刷用紙Ｐに印刷されると同時に、その画像の撮影日等の文字情報、撮影時の音声情報、略同時に撮影された他の画像、印刷した画像を含む動画等がＲＦＩＤタグに記憶される。すなわち、印刷だけでは表現できない情報を印刷された画像に貼付して記憶、保管することができる。
また、ＲＦＩＤタグ１０の上面が印刷用紙Ｐと略同一の紙からなる紙シートから形成されているので、ＲＦＩＤタグ１０上にも任意の文字や画像を印刷（描画）することができる。したがって、印刷範囲が狭められることなく、通常の用紙と同様に文字や画像を印刷することができる。
【００２３】
［ＲＦＩＤシステム］
次に、上述したＲＦＩＤタグ１０付き印刷用紙Ｐを用いたＲＦＩＤシステムについて説明する。
上述したように、ＲＦＩＤタグ１０付き印刷用紙Ｐは、インクジェットプリンタ６０によって、印刷用紙Ｐ上に任意の文字や画像が印刷（描画）されており、貼付されたＲＦＩＤタグ１０には、その文字又は画像に関連した各種情報が記憶されている。このため、ＲＦＩＤタグ１０と通信可能な外部装置（読取装置）を用いれば、ＲＦＩＤタグ１０に記憶された各種情報を読み出すことができる。つまり、画像等が印刷された印刷用紙Ｐに外部装置を近づけると、外部装置とＲＦＩＤタグ１０との間で通信が行われて、ＲＦＩＤタグ１０に記憶された情報が得られる。
上述したように、ＲＦＩＤタグ１０に記憶された各種情報には、文字情報の他に音声情報や画像情報が含まれている。したがって、外部装置にスピーカーやディスプレイが接続されていれば、これら各種情報を再現することができる。すなわち、文字情報に限らず、音声を出力させたり、画像を表示されたりすることができる。
具体的には、図４に示すように、印刷用紙Ｐに不図示のデジタルカメラで撮影した画像が印刷（描画）されており、この印刷用紙Ｐに外部装置５０を近づけると、外部装置５０に接続されたスピーカー（不図示）やディスプレイ５１から、印刷された画像等に関連した音声が聞こえたり、印刷画像を含む動画や文字情報が表示されたりする。このように、印刷した画像の他に更に多くの情報が再現される。
【００２４】
外部装置５０としては、据置型の読取装置等であってもよいが、図４に示すように、携帯情報端末（例えばノートパソコン、携帯電話、携帯ゲーム端末）が好適に用いられる。これらの携帯情報端末によれば、画像の表示と音声の再生が可能である。すなわち、ノートパソコン、携帯電話、携帯ゲーム端末に読取装置５２を取り付ければよい。これにより、手軽にＲＦＩＤタグ１０付き印刷用紙Ｐから各種情報を得ることができる。また、読取装置５２は、携帯機器内部に組み込んでもよい。
【００２５】
なお、上述した実施形態においては、インクジェットプリンタ６０を用いて任意の文字や画像を印刷したＲＦＩＤタグ１０付き印刷用紙Ｐを用いる場合について説明したが、これに限らない。すなわち、他人が印刷した印刷用紙Ｐであってもよい。
例えば、いわゆるダイレクトメールにＲＦＩＤ１０タグを貼付して、ダイレクトメールを受け取った者が読取装置付き携帯電話を近づけると、携帯電話のディスプレイに所定の宣伝画像が表示されたり、宣伝音声が出力されたりする。
また、携帯電話のインターネット接続機能を利用して、ＲＦＩＤタグ１０にＵＲＬ情報を記憶させて、その情報を携帯電話で読み取ると、携帯電話からインターネットに接続して、広告主のホームページにアクセスし、表示したりすることも可能である。
また、名刺にＲＦＩＤタグ１０を貼付して、顔写真、ＵＲＬ情報、電話、ＦＡＸ情報、会社案内等を記憶させておいてもよい。
更に、新聞広告、ポスター等にＲＦＩＤタグ１０を貼付することにより、不特定多数のユーザが読取装置付き携帯情報端末等を近づけると、その携帯情報端末等に広告を表示したり、店舗までの道案内が表示されたりすることもできる。
【００２６】
このように、本ＲＦＩＤシステムによれば、携帯情報端末等によりＲＦＩＤタグ１０に記憶された情報を読み取り、かつその情報を再現させることにより、不特定多数の者がＲＦＩＤタグ１０付き印刷用紙Ｐを介して各種情報を得ることができる。特に、印刷された文字や静止画像では表現できない情報をＲＦＩＤタグ１０に記憶させ、不特定多数の者が所有する携帯情報端末によりその情報を読み取って表示させることにより、より多くの情報を提供することができる。
【００２７】
以上、本発明の実施の形態について説明したが、上述した実施の形態において示した動作手順、あるいは各構成部材の諸形状や組み合わせ等は一例であって、本発明の主旨から逸脱しない範囲において種々変更可能である。
例えば、ＲＦＩＤタグ１０に表示部を設けてもよい。表示部としては、電気泳動表示デバイス（表示素子、Electro Phoretic Display）が好ましい。そして、この表示部には、ＲＦＩＤタグ１０に記憶された文字情報を表示するようにすることが可能である。
【図面の簡単な説明】
【００２８】
【図１】ＲＦＩＤタグ１０を示す分解斜視図である。
【図２】プリンタ装置の６０を示す概略構成図である。
【図３】インクジェットプリンタ６０の断面図である。
【図４】ＲＦＩＤシステムの概要を示す図である。
【符号の説明】
【００２９】
Ｐ…印刷用紙、  １０…ＲＦＩＤタグ、  １１…ＩＣチップ、  １２…アンテナ、  １７…紙シート、  １８…粘着シート、  ５０…外部装置（携帯情報端末，携帯電話）、  ５１…ディスプレイ、  ５２…読取装置（外部通信部）、  ６０…インクジェットプリンタ（プリンタ装置）、  ６３…ヘッドユニット（描画部）、  ６９…通信部
【図１】
2006209497.tif 000003
【図２】
2006209497.tif 000004
【図３】
2006209497.tif 000005
【図４】
2006209497.tif 000006